(57)【要約】【課題】室外空気が高湿度でも換気を維持するとともに熱交換器が水で濡れて熱交換性能が低下してしまうことを防止する熱交換換気装置を得る。【解決手段】給気路内に設置された湿度センサと、給気通路と並設され熱交換器を迂回するバイパス通路と、給気通路とバイパス通路とを切換えるダンパとを備え、ダンパがバイパス通路を閉じ給気通路を開いた熱交換換気運転の状態のときに湿度センサで測定した室外空気の湿度が所定の基準値Ｒａ以上の場合には、ダンパが給気通路を閉じバイパス通路側を開いた普通換気運転に切り替えることを特徴とする熱交換換気装置。【選択図】図２
2011220561.tif 000002
【特許請求の範囲】
【請求項１】
ケーシングに格納され、給気送風機により室外側吸込口から室外空気を吸込み、熱交換器の給気通路を通して室内側吹出口から室内に給気する給気路と、排気送風機により室内側吸込口から室内空気を吸込み、前記熱交換器の排気通路を通して室外側吹出口から室外に排気する排気路と、前記熱交換器より上流側の前記給気路内に設置され室外空気の湿度を測定する湿度センサと、前記給気通路と並設され前記熱交換器を迂回するバイパス通路と、前記給気通路と前記バイパス通路とを切換えるダンパと、前記給気送風機および前記排気送風機および前記ダンパを制御する制御装置とを備え、前記制御装置は、前記ダンパが前記バイパス通路を閉じ前記給気通路を開いた熱交換換気運転の状態のときに前記湿度センサで測定した室外空気の湿度が所定の基準値Ｒａ以上の場合には、前記ダンパが前記給気通路を閉じ前記バイパス通路側を開いた普通換気運転に切り替えることを特徴とする熱交換換気装置。
【請求項２】
熱交換換気運転の状態のときに前記湿度センサで測定した室外空気の湿度が前記所定の基準値Ｒａ以上の場合には前記ダンパが前記給気通路を閉じ前記バイパス通路側を開いた普通換気運転に切り替えるとともに、その普通換気運転中に前記湿度センサで測定した室外空気の湿度が所定の基準値Ｒｂ未満になったときは、前記ダンパが前記バイパス通路を閉じ前記給気通路を開いて普通換気運転から熱交換換気運転に戻すことを特徴とする請求項１に記載の熱交換換気装置。
【請求項３】
熱交換換気運転の状態のときに前記湿度センサで測定した室外空気の湿度が前記所定の基準値Ｒａ以上の場合には前記ダンパが前記給気通路を閉じ前記バイパス通路側を開いた普通換気運転に切り替えるとともに、前記給気送風機の回転を下げ給気の風量を少なくすることを特徴とする請求項１に記載の熱交換換気装置
【請求項４】
熱交換換気運転の状態のときに前記湿度センサで測定した室外空気の湿度が前記所定の基準値Ｒａ以上の場合には前記ダンパが前記給気通路を閉じ前記バイパス通路側を開いた普通換気運転に切り替え、更に前記給気送風機の回転を下げ給気の風量を少なくするとともに、その普通換気運転中に前記湿度センサで測定した室外空気の湿度が所定の基準値Ｒｂ未満になったときは、前記ダンパが前記バイパス通路を閉じ前記給気通路を開いて熱交換換気運転に戻すとともに、前記給気送風機の回転を上げ給気の風量を普通換気運転に切り替える前の熱交換換気運転のときの風量に戻すことを特徴とする請求項１に記載の熱交換換気装置。  
【請求項５】
前記バイパス通路の中に設けられたフィルターと、前記フィルターの下部に設けられたドレン容器と、前記ドレン容器に設けられた前記ドレン容器内の水を検知する水検知センサとを備え、熱交換換気運転の状態のときに前記湿度センサで測定した室外空気の湿度が前記所定の基準値Ｒａ以上の場合には前記ダンパが前記給気通路を閉じ前記バイパス通路側を開いた普通換気運転に切り替えるとともに、その普通換気運転中に前記水検知センサが水を検知したとき前記給気送風機の運転を停止することを特徴とする請求項１〜４のいずれかに記載の熱交換換気装置。
【請求項６】
前記水検知センサが水を検知し前記給気送風機の運転を停止しているとき、前記水検知センサが水を検知しなくなれば前記給気送風機の運転の停止を解除し運転を再開することを特徴とする請求項５に記載の熱交換換気装置。
【請求項７】
前記水検知センサが水を検知し前記給気送風機の運転を停止しているとき、前記湿度センサで測定した室外空気の湿度が所定の基準値Ｒｂ未満になれば、前記給気送風機の運転の停止を解除し運転を再開するとともに、前記ダンパが前記バイパス通路を閉じ前記給気通路を開いて熱交換換気運転に戻すことを特徴とする請求項５〜６のいずれかに記載の熱交換換気装置。
【請求項８】
前記水検知センサが水を検知し前記給気送風機の運転を停止しているとき、前記湿度センサで測定した室外空気の湿度が所定の基準値Ｒｂ未満になれば、前記給気送風機の運転の停止を解除し、一定時間または前記水検知センサが水を検知しなくなるまで普通換気運転を再開するとともに、一定時間経過後または前記水検知センサが水を検知しなくなったとき前記ダンパが前記バイパス通路を閉じ前記給気通路を開き普通換気運転から熱交換換気運転に戻すことを特徴とする請求項５〜６のいずれかに記載の熱交換換気装置。
【請求項９】
熱交換換気装置の運転を制御する外部コントローラと、前記ドレン皿又は前記ドレンタンクに設けられた水位検知センサと、前記水位検知センサにより所定の水位以上に水が溜まったと検知されたとき、前記外部コントローラに音声又は表示により使用者へ溜水を通報させる表示部を設けたことを特徴とする請求項５〜８のいずれかに記載の熱交換換気装置。
【発明の詳細な説明】
【技術分野】
【０００１】
この発明は、主に換気分野に利用され、同時給排気換気を行いながら、熱交換器を介して給気と排気の間で熱交換を行なう熱交換換気装置に関するものである。
【背景技術】
【０００２】
従来の熱交換換気装置では、例えば特開２００８−３０９３８１号公報に開示されているように、吸込口と吹出口とを室内側と室外側のそれぞれに一組ずつ設けた箱体と、箱体内に内蔵された給気送風機により室外側吸込口から室外空気を吸込み、熱交換器の給気通路を通して室内側吹出口から室内に給気する給気路と、排気送風機により室内側吸込口から室内空気を吸込み、熱交換器の排気通路を通して室外側吹出口から室外に排気する排気路と、これらの給気通路と排気通路の交差部に設けられ給気流と排気流との間で熱交換する熱交換器と、前記排気通路又は前記給気通路と併設され前記熱交換器を迂回するバイパス風路と、前記熱交換器を通る風路とバイパス風路への風路切換えが出来るダンパを備え、室外側吸込口、室内側吸込口のそれぞれに温度センサーおよび湿度センサーを設置し、前記室外、室内温度センサー及び室外、室内湿度センサーから演算された室外絶対湿度と室内絶対湿度を比較し、室内の湿度を下げることができ、かつ室内の温度が下がり過ぎることのないように風量や風路を切り換えることが出来る熱交換換気装置がある。
【先行技術文献】
【特許文献】
【０００３】
【特許文献１】特開２００８−３０９３８１号公報
【発明の概要】
【発明が解決しようとする課題】
【０００４】
従来の熱交換換気装置では、朝晩に霧や靄が多く発生する地域においては、昨今の２４時間換気（常時換気）のニーズの高まりと共に換気により霧や靄などの高湿度空気が製品の室外側吸込口から給気される可能性が高くなっている。従来の熱交換換気装置では、室外の空気の相対湿度に関係なく、室外の空気が室内の空気の絶対湿度より高い場合は、熱交換換気運転のまま熱交換換気装置の風量を２０％以下の微弱風量に切り換え、換気による室内の結露を防止することができたが、長時間にわたり霧や靄が多く発生した場合には、吸い込まれた霧や靄を含む高湿度空気が熱交換換気装置内部の熱交換器で凝集したり凝縮して熱交換器が水で濡れてしまうことがあった。全熱を交換できる熱交換器は一般的には紙素材が用いられているため、水で濡れてしまうことが繰り返されることで熱交換器の熱交換性能が低下してしまうという問題があった。
【０００５】
本発明は、上記のような課題を解決するためになされたもので、熱交換換気運転中でも室外空気の湿度が所定の基準値以上の場合は、自動で室外空気を熱交換器に流さない普通換気運転に切り替えるため、熱交換器が水で濡れてしまうことがなく熱交換器の熱交換性能が低下してしまうことを防止することを目的とする。
【課題を解決するための手段】
【０００６】
この発明に係る熱交換換気装置においては、ケーシングに格納され、給気送風機により室外側吸込口から室外空気を吸込み、熱交換器の給気通路を通して室内側吹出口から室内に給気する給気路と、排気送風機により室内側吸込口から室内空気を吸込み、熱交換器の排気通路を通して室外側吹出口から室外に排気する排気路と、熱交換器より上流側の給気路内に設置され室外空気の湿度を測定する湿度センサと、給気通路と並設され熱交換器を迂回するバイパス通路と、給気通路とバイパス通路とを切換えるダンパと、給気送風機および排気送風機およびダンパを制御する制御装置とを備え、制御装置は、ダンパがバイパス通路を閉じ前記給気通路を開いた熱交換換気運転の状態のときに湿度センサで測定した室外空気の湿度が所定の基準値Ｒａ以上の場合には、ダンパが前記給気通路を閉じバイパス通路側を開いた普通換気運転に切り替えるものである。
【発明の効果】
【０００７】
この発明によれば、室外空気が所定の基準値以上の高湿度の場合、室外空気を熱交換器に通さない普通換気に切り換えて運転するため、換気を維持したまま熱交換器への水分の蓄積を抑え熱交換器が濡れて熱交換性能が低下してしまうことを防止することができる。
【図面の簡単な説明】
【０００８】
【図１】本発明の実施の形態１を示す熱交換換気装置の透視斜視図である。
【図２】本発明の実施の形態１を示す熱交換換気装置の透視平面図である。
【図３】本発明の実施の形態１を示す熱交換換気装置の透視側面図である。
【図４】本発明の実施の形態１を示す熱交換換気装置の動作を表すフローチャート図である。
【図５】本発明の実施の形態１を示す熱交換換気装置の風量ノッチ表である。
【図６】本発明の実施の形態１を示す熱交換換気装置の風量ノッチ表である。
【図７】本発明の実施の形態２を示す熱交換換気装置の透視平面図である。
【図８】本発明の実施の形態２を示す熱交換換気装置の透視側面図である。
【図９】本発明の実施の形態２を示す熱交換換気装置のバイパス通路の透視側面図である。
【図１０】本発明の実施の形態２を示す熱交換換気装置の外部コントローラの外観図である。
【図１１】本発明の実施の形態２を示す熱交換換気装置の動作を表すフローチャート図である。
【図１２】本発明の実施の形態３を示す熱交換換気装置のバイパス通路の透視側面図である。
【発明を実施するための形態】
【０００９】
実施の形態１．
図１は本発明の実施の形態１を示す熱交換換気装置の透視斜視図であり、図２は本発明の実施の形態１を示す熱交換換気装置の透視平面図であり、図３は本発明の実施の形態１を示す熱交換換気装置の透視側面図であり、図４は本発明の実施の形態１を示す熱交換換気装置の動作を表すフローチャート図である。図１〜図３に示すように、熱交換換気装置１００は、室外空気と室内空気の熱交換を行う熱交換器１が、直方体の箱形に形成された本体ケーシング２内に設置され、同時給排気により、熱交換を行いながら室内の換気を行う。
【００１０】
本体ケーシング２内には、給気送風機３により室外側吸込口１１から室外空気を吸込み、熱交換器１の給気通路１ａ（図３参照）を通して室内側吹出口１２から室内に給気する給気路５と、排気送風機４により室内側吸込口１３から室内空気を吸込み、熱交換器１の排気通路１ｂ（図３参照）を通して室外側吹出口１４から室外に排気する排気路６と、が形成されている。
【００１１】
また本体ケーシング２内に、熱交換器１、給気送風機３及び排気送風機４を組付け、給気路部品７と排気路部品８、給気側入口部品９と排気側入口部品１０を装着することにより、給気路５と排気路６が形成される。給気送風機３にはモータ３ａが備えられ、排気送風機４にはモータ４ａが備えられている。
【００１２】
給気路５は、給気側入口部品９に対応する本体ケーシング２の開口部を室外側吸込口１１とし、給気側入口部品９から熱交換器１の上側の面から熱交換器１の給気通路１ａを経て給気送風機３から給気路部品７の出口部分７ａに至り、出口部分７ａの開口部に対応する本体ケーシング２の開口部を室内側吹出口１２とする通風路として形成される。
【００１３】
一方、排気路６は、排気側入口部品１０に対応する本体ケーシング２の開口部を室内側吸込口１３とし、排気側入口部品１０から熱交換器１の上側の面から熱交換器１の排気通路１ｂを経て排気送風機４から排気路部品８の出口部分８ａに至り、出口部分８ａの開口部に対応する本体ケーシング２の開口部を室外側吹出口１４とする通風路として形成される。
【００１４】
また、バイパス通路１５は、バイパスダンパ１６により給気路５の熱交換器１の上流側手前で給気路５を閉じバイパス通路１５側を開放することにより、給気路５の室外側吸込口１１から給気側入口部品９を経て熱交換器１を迂回してバイパス通路１５を通り給気送風機３を経由して給気路部品７の出口部分７ａから室内側吹出口１２に室外空気を給気する通風路として形成されている。
【００１５】
本体ケーシング２の外側側面で、給気路５の室外側吸込口１１及び室内側吹出口１２、排気路６の室内側吸込口１３及び室外側吹出口１４には、ダクト接続筒１７が取付けられている。
【００１６】
このように構成された熱交換換気装置１００は、給気路５により熱交換器１を通して室外空気を室内へ給気すると同時に、排気路６により熱交換器１を通して室内空気を室外に排気することができ、熱交換器１で給気と排気の間で熱交換を行いながら同時給排気による熱交換換気運転を行うことができる。
【００１７】
また、バイパスダンパ１６によりバイパス通路１５へ切り替えることにより、給気送風機３により室外空気を、熱交換器１を通さずに室内へ給気することができ、熱交換を伴わない普通換気運転を行うことができる。
【００１８】
尚、図２ではバイパス通路１５を本体ケーシング２の側面付近に設けたが、どの位置でもよく他の側面付近や上面側もしくは下面側の設けてもよい。
【００１９】
上記実施例では給気路５側にバイパス通路１５を設けた実施例を示したが、給気側に合わせて排気路６側にもバイパス通路を設け、排気路６の室内側吸込口１３から排気側入口部品１０を経て、バイパスダンパでバイパス通路に切り替えて熱交換器１を迂回し、排気路部品８の出口部分８ａから室外側吹出口１４に室内空気を排気するようにしてもよい。
【００２０】
本体ケーシング２内には室外側吸込口１１に、室外空気の湿度を検出することができる湿度センサ１８を備え、さらに、熱交換換気装置１００には、湿度センサ１８の検知信号を受け給気送風機３および排気送風機４やバイパスダンパ１６の動作を制御する制御装置１９が設けられているとともに、前記制御装置１９にはリモコンなどの外部コントローラ２０が接続され制御されている。
【００２１】
次に、その動作について説明する。熱交換換気装置１００は上記外部コントローラ２０により、換気運転の入切（ＯＮ−ＯＦＦ）および換気風量の大小（強弱）および換気種類（熱交換換気運転又は普通換気運転）を任意に選択できるようになっている。外部コントローラ２０の運転スイッチ（図示せず）がＯＮにされると、給気送風機３および排気送風機４が同時に動作し、室内空気は室内側吸込口１３から吸い込まれ、排気路６を通り、排気送風機４により室外側吹出口１４から吹き出され室外へ排気される。
【００２２】
また室外空気は、室外側吸込口１１から吸い込まれ、給気路５を通り、給気送風機３により室内側吹出口１２から吹き出され、室内に給気される。このとき、熱交換器１の給気通路１ａと排気通路１ｂをそれぞれ通る給気の空気と排気の空気との間で熱交換が行われ、排気の空気の全熱を給気の空気へ回収して給気の空気を排気の空気の温度に近づけることで換気による室内空気の全熱変化を低減し冷暖房負荷を軽減することができる。
【００２３】
次に制御の概略について説明する。以下は前記外部コントローラ２０で熱交換換気運転が選択されている場合について説明する。
【００２４】
図４は熱交換換気運転時の制御を表すフローチャート図である。熱交換換気装置１００の運転が開始されると、ステップS１で前記外部コントローラ２０により選択された換気種類（熱交換換気運転または普通換気運転）と風量に基づいて換気運転が行われる。そしてステップS２で換気種類が熱交換換気運転であるかどうか判定し、熱交換換気運転である場合にはステップS３に進み、普通換気運転である場合にはステップS２の判定に戻る。そしてステップS３では、湿度センサ１８により検出された室外空気の湿度Ｒ％があらかじめ設定された基準値Ｒａ％以上であるかどうか（Ｒ≧Ｒａかどうか）を判断する。本実施例では室外空気が霧や靄など高湿度かどうかを判断する湿度の基準値Ｒａとして、Ｒａ＝９０％に設定している。そこで、室外空気の湿度Ｒ≧９０％であればステップS４に進み、室外空気の湿度Ｒ＜９０％であればステップS３の判定に戻る。ステップS４ではタイマ１がスタートしステップS５に進む。ステップS５ではタイマ１があらかじめ設定されたＴａ時間経過したかどうかを判定する。本実施例ではＴａ＝２時間に設定してある。従って、２時間以上経過すればステップS６に進み、２時間未満であればステップS７に進む。
【００２５】
ステップS６では、バイパスダンパ１６を動作させ、給気路５の熱交換器１への通路を閉じバイパス通路１５を開き熱交換換気運転から普通換気運転に変更すると同時に、給気送風機３と排気送風機４を低速回転させ、外部コントローラ２０で選択されている風量の２０〜８０％の風量に減少させ、ステップS８に進む。ステップS８では湿度センサ１８により検出された室外空気の湿度Ｒ％が基準値Ｒｂ＝Ｒａ−５％以下であるかどうか（Ｒ％＜Ｒｂ（＝Ｒａ−５％）かどうか）を判断する。Ｒａ−５％で判断することで、室外空気の湿度Ｒが９０％前後で変動する場合にそれに連動して熱交換換気運転と普通換気運転の切り替えが頻繁に発生しないように５％の湿度差を設けてある。本実施例ではＲａ＝９０％に設定しているので、Ｒ％＜８５％になればステップS９に進み、Ｒ％≧８５％であればステップS８の判定に戻る。ステップS９ではタイマ２がスタートし、ステップS１０に進む。ステップS１０ではタイマ２があらかじめ設定されたＴｂ時間経過したかどうかを判定する。本実施例ではＴｂ＝２時間に設定してある。従って、２時間以上経過すればステップS１１に進み、２時間未満であればステップS１０の判定に戻る。
【００２６】
ステップS１１では再びバイパスダンパ１６を動作させ、バイパス通路１５を閉じ給気路５の熱交換器１への通路を開き普通換気運転から熱交換換気運転に戻すとともに、給気送風機３と排気送風機４の回転を上げ、外部コントローラ２０で選択されている風量に戻す。そして、ステップS２の判定に戻る。ステップS７では湿度センサ１８により検出された室外空気の湿度Ｒ％が基準値Ｒｂ＝Ｒａ−５％以下であるかどうか（Ｒ％＜Ｒｂ（＝Ｒａ−５％）かどうか）を判断する。本実施例ではＲａ＝９０％に設定しているので、Ｒ％＜８５％になればステップS３の判定に戻り、Ｒ％≧８５％であればステップS５の判定に戻る。
【００２７】
本実施例では、ステップS５で給気送風機３と排気送風機４の回転を低回転にして、給気風量と排気風量を同時に外部コントローラ２０で選択されている風量の２０〜８０％に低減したが、給気送風機３だけを低回転にして給気風量のみ低減してもよい。
【００２８】
また、外部コントローラ２０で選択されている風量の２０〜８０％に低減したが、図５に示すように外部コントローラ２０で選択可能な風量ノッチの中で、外部コントローラ２０で選択されている風量ノッチより１段階少ない風量ノッチ（強ノッチが選択されていれば中ノッチへ、同様に中ノッチが選択されていれば弱ノッチへ、選択可能な風量ノッチの中の最小の風量ノッチである弱ノッチが選択されていれば弱ノッチのまま）に低減してもよく、また図６のように外部コントローラ２０で選択可能な風量ノッチの中の最小の風量ノッチ（強ノッチから弱ノッチへ、弱ノッチから弱ノッチへ、弱ノッチは弱ノッチのまま）に低減してもよく、また風量ノッチは、本実施例では強ノッチ、中ノッチ、弱ノッチの３段階であるが、複数段階あればよく段階数には制限されない。
【００２９】
以上の構成・動作により、熱交換換気装置１００が熱交換換気運転の場合において、霧や靄が多く発生しているときなど室外空気が高湿度状態でも、湿度センサ１８により室外空気の湿度が基準値Ｒａ以上であると判断したときには自動でバイパスダンパ１６を動作させ給気路５を熱交換器１を通さない普通換気運転に切り替えることで、熱交換器１に高湿度の室外空気が通過しないため、熱交換器部１で水分が凝集したり凝縮して熱交換器１が水で濡れてしまうことがなく、紙をベースにした熱交換器１の熱交換性能の低下を防止することができる。またこの時、熱交換換気運転から普通換気運転に切り換わるだけで換気は継続して行なわれるため、２４時間換気など常時換気が必要な使用環境でも使用することができる。
【００３０】
また、湿度センサ１８により室外空気の湿度が基準値Ｒａ以上であると判断したとき、自動で熱交換換気運転から普通換気運転に切り替えるとともに給気送風機の回転数を下げ給気風量少なくさせることで、室内への高湿度空気の流入をある程度抑え室内の湿度上昇を抑えながら換気自体を停止させることなく連続して換気をすることができる。
【００３１】
また、上記のように室外空気が高湿度であるため自動で普通換気運転になっている状態で、時間の経過とともに室外空気の湿度が下がり、室外空気の湿度が基準値Ｒｂ未満になったときには、自動で普通換気運転から熱交換換気運転に戻すとともに、普通換気運転で少なくしていた給気送風機と排気送風機の回転を元に戻し、給気と排気の風量を普通換気運転に切り替えられ前の熱交換換気運転のときの風量（外部コントローラ２０で選択されている風量）に戻すので、室外空気の湿度に応じて全て自動で熱交換換気運転と風通換気運転の切り替えを行うことができ、換気装置の運転管理の手間を省くことができる。また、基準値Ｒｂ＝基準値Ｒａ―５%としているため、室外空気の湿度が基準値Ｒａ付近で変動する場合に少しの変動に応じて熱交換換気運転と普通換気運転の間で切り替えが頻繁に起きてしまうことを防止することができ、使い勝手のよい熱交換換気装置を得ることができる。
【００３２】
実施の形態２．
図７は本発明の実施の形態２を示す熱交換換気装置の透視平面図であり、図８は本発明の実施の形態２を示す熱交換換気装置の透視側面図であり、図９は本発明の実施の形態２を示す熱交換換気装置のバイパス通路１５の透視側面図である。図８に示されるように給気路５の熱交換器１の給気入口側および排気路６の熱交換器１の排気入口側には不織製素材やメッシュなどの通気性のある素材からなる除塵用フィルター２１が設けられ、図７に示されるようにバイパス通路１５には同じく不織製素材やメッシュなどの通気性のある素材からなる除塵用フィルター２２が各々の通路の断面全体に設けられ、給気路５およびバイパス通路１５を通る空気中の塵埃等を除去している。また、図７および図９に示されるようにバイパス通路１５に設けられた除塵用フィルター２２の鉛直下には水を溜水できる皿状のドレン容器２３が設けられ、除塵用フィルター２２及びドレン容器２３は本体ケーシング２に設けられたメンテナンス口（図示せず）から容易に清掃・交換メンテナンスができるようにている。ドレン容器２３には水検知センサ２４が設けられ、ドレン容器２３内に一定水位以上溜まった水を検知している。図１０は熱交換換気装置の外部に接続された外部コントローラ２０の外観図である。図１０において、換気運転の入切（ＯＮ−ＯＦＦ）および換気風量の大小（強弱）および換気種類（熱交換換気運転又は普通換気運転）を任意に選択できるスイッチの近傍にドレン容器２３の水位の状況を示す表示部２５が設けられている。
【００３３】
図１１は水検知センサ２４による熱交換換気装置の運転制御を表すフローチャート図である。図１１においてステップS１からステップS６までは実施の形態の１と同様の制御であるので、説明は省略する。ステップS６でバイパスダンパ１６を動作させ、熱交換換気運転から普通換気運転に変更すると同時に、給気送風機３と排気送風機４を低速で回転させる低速運転をさせた後、ステップS１２へ進む。室外空気が高湿度で普通換気運転である場合、除塵用フィルター２２を高湿度な室外空気が通過するため、高湿度中の水分が除塵用フィルター２２で凝集し、除塵用フィルター２２が水で濡れる。長時間続く場合には、水の凝集が継続し除塵用フィルター２２の保水力以上になった場合には、除塵用フィルター２２から水滴がドレン容器２３に滴下する。ステップS１２ではドレン容器２３に水が溜まり一定レベル以上に水が溜まると水検知センサ２４が水を検知しステップS１３に進む。水を検知していなければステップS８に進む。
【００３４】
ステップS１３では水検知センサ２４の検知信号が前記制御装置１９に入力され、給気送風機３と排気送風機４の運転を強制停止させ換気を止めるとともに、外部コントローラ２０に満水を認知させる警告ランプなどの表示部２５を点灯させ、満水で強制停止している旨を認知させる警告表示を行いステップS１４に進む。ステップS１４では水検知センサ２４が水を非検知になったどうかを判断し、水を非検知になったときにはステップS１５に進み、水を検知していればステップS１６に進む。ステップS１５では、給気送風機３と排気送風機４の運転の強制停止が解除され運転を再開するとともに、表示部２５を消灯させ警告表示を停止させ、ステップS８に進む。ステップS１６では室外空気の湿度Ｒ％が基準値Ｒｂ（＝Ｒａ−５％）以下（本実施例では８５％以下）かどうかを判断し、基準値Ｒｂ以下（本実施例では８５％以下）であればステップS１７に進み、基準値Ｒｂを超えて（本実施例では８５％超えて）いる場合にはステップS１４に戻る。
【００３５】
ステップS１７では、給気送風機３と排気送風機４の運転の強制停止が解除され運転を再開するとともに、点灯している表示部２５を点滅表示させ、強制停止は解除されているが満水状態である旨の注意表示を行い、ステップS１８に進む。ステップS１８では、検知センサ２４が水を非検知になったどうかを判断し、水を非検知になったときにはステップS１９に進み、水を検知していればステップS１８の判定に戻る。ステップS１９では、点滅している表示部２５を消灯させ注意表示を解除し、ステップS1９に進む。
【００３６】
ステップS８では湿度センサ１８により検出された室外空気の湿度Ｒ％が基準値Ｒｂ（＝Ｒａ−５％）以下であるかどうかを判断する。本実施例ではＲａ＝９０％に設定しているので、Ｒ％＜８５％になればステップS９に進み、Ｒ％≧８５％であればステップS１２の判定に戻る。ステップ９からステップ１１は実施の形態１と同様である。すなわちステップS９ではタイマ２がスタートし、ステップS１０に進む。ステップS１０ではタイマ２があらかじめ設定されたＴｂ時間経過したかどうかを判定する。本実施例ではＴｂ＝２時間に設定してある。従って、２時間以上経過すればステップS１１に進み、２時間未満であればステップS１０の判定に戻る。ステップS１１では再びバイパスダンパ１６を動作させ、バイパス通路１５を閉じ給気路４の熱交換器１への通路を開き普通換気運転から熱交換換気運転に戻すとともに、排気用送風機３と給気用送風機５の回転を上げ、外部コントローラ２０で選択されている風量に戻す。そして、ステップS２の判定に戻る。その他の構成・動作については実施の形態１と同様である。
尚、上記実施例では、表示部２５が点灯することで警告表示の旨を表し、表示部２５が点滅することで注意表示の旨を表していたが、警告表示と注意表示を分けそれぞれの表示部を設けて点灯させてもよい。
【００３７】
以上の構成・動作によれば、実施の形態１と同様の効果があるとともに、普通換気運転時でも除塵用フィルター２２により室内に清浄な換気空気を供給することができるとともに、室外空気が高湿度の場合に除塵用フィルター２２に水が凝集して除塵用フィルター２２から水滴が滴下しても、ドレン容器２３で水を溜めることができ、水が多量に発生し満水になった場合には水検知センサ２４で満水を検知して給気送風機３および排気送風機４の運転を停止させ熱交換換気装置の運転を強制的に停止させるので、ドレン容器２３から水が溢れて、熱交換換気装置の外に水が漏水することもない。また、霧や霞などの高湿度な室外空気を給気しても除塵用フィルター２２で凝集させることで給気空気中の微細な水滴をある程度除去することができ、室内の高湿度化を抑えることができる。
【００３８】
またその時、外部コントローラ２０にドレン容器２３が満水でこれ以上運転すると水が溢れ出す危険性があるため強制的に運転を停止している状態であるという旨を示す警告表示を行うので、熱交換換気装置が強制的に運転停止されている理由を使用者が知ることができ、故障で停止していると勘違いしてしまうこともない。
【００３９】
また、ドレン容器２３の水位が下がり水検知センサ２４が水を検知しなくなったときや、室外空気の湿度が下がり湿度が基準値Ｒｂ未満になったときは給気によって除塵用フィルター２２で凝集して水が生成され滴下することもなくなるため、ドレン容器２３から水が溢れる心配がなくなり、自動で熱交換換気装置の強制的な運転停止を解除し運転を再開させるので、熱交換換気装置の管理者がわざわざ運転を再開させる手間を必要としない。
【００４０】
また、水検知センサ２４が水を検知し給気送風機３および排気送風機４の運転を停止している状態から、水検知センサ２４が水を検知したまま室外空気の湿度が所定の基準値Ｒｂ未満になれば、給気送風機３および排気送風機４の強制運転停止を解除し、一定時間または前記水検知センサ２４が水を検知しなくなるまで普通換気運転を再開するとともに、一定時間経過後または前記水検知センサ２４が水を検知しなくなったとき普通換気運転から熱交換換気運転に戻させるので、ドレン容器２３内の水を通風により強制的に蒸発させることができ、短時間でドレン容器２３内の水を減少させ危険な満水状態から脱することができる。
【００４１】
また、ステップS１３でなくても、ステップに拘わらずドレン容器２３にドレン水が溜まり水検知センサ２４が水を検知すれば外部コントローラ２０にドレン容器２３が満水である旨の注意表示を行うようにすれば、使用者が自主的に熱交換換気装置１００の運転を加減したり停止したりすることもできる。
【００４２】
また、熱交換器１は熱交換効率を上げ圧力損失を下げるため給気路５において通路の断面積を非常に大きく設けてある。できるだけ給気路５の全体の圧力損失を抑制するためには、除塵用フィルター２１も室外側吸込口１１に設けないで通路の断面積の最も大きい熱交換器１の近傍に配置して除塵用フィルター２１による圧力損失の増加を少しでも抑える必要がある。その場合、バイパス通路１５を通る普通換気運転では除塵用フィルター２１を通らないので、バイパス通路１５には除塵用フィルター２２が設けられている。バイパス通路１５の除塵用フィルター２２は除塵用フィルター２１よりサイズが小さくして、その分だけ除塵用フィルター２1より圧力損失を増加させてしまっても、普通換気運転では圧力損失の大きい熱交換器１を通らないため給気路５の全体の圧力損失としては抑制できる。従って、室外側吸込口１１やバイパス通路１５の通路の断面積を大きくすることなく熱交換換気運転でも普通換気運転でも外気を除塵し清浄化することができ、熱交換換気運転時と普通換気運転時の給気路全体の圧力損失を互いに近づけることでき熱交換換気運転時と普通換気運転時の給気風量差も低減できる。
【００４３】
実施の形態３．
図１２は本発明の実施の形態３を示す熱交換換気装置１００のバイパス通路１５の透視側面図である。ドレン容器２３にはドレン容器２３内の水を熱交換換気装置の外に排水する排水パイプ２６が接続され、排水パイプ２６の他端は本体ケーシング２の外まで設けられている。その排水パイプ２６の他端は、熱交換換気装置１００が設置されるときに建物に設けられたドレン配管（図示せず）に接続される。上記以外は実施の形態２と構成も動作も同じである。
【００４４】
以上の構成・動作によれば、実施の形態１および実施の形態２と同様の効果があるとともに、ドレン容器２３の水は自動的に排水されるため、外気空気が高湿度の状態が長時間続いてもドレン容器２３が満水になり強制停止させなければならないような事態の発生を無くすことができ、連続して換気を維持することができるので、常時換気が必要な環境でも使用することができる。
【産業上の利用可能性】
【００４５】
室内と屋外の空気を入れ替えて換気を行う同時給気排気型の熱交換換気装置などにおいて、産業上の利用の可能性がある。
【符号の説明】
【００４６】
１  熱交換器
１ａ  給気通路
１ｂ  排気通路
２  本体ケーシング
３  給気送風機
４  排気送風機
３ａ  モータ
４ａ  モータ
５  給気路
６  排気路
７  給気路部品
８  排気路部品
７ａ  出口部分
８ａ  出口部分
９  給気側入口部品
１０  排気側入口部品
１１  室外側吸込口
１２  室内側吹出口
１３  室内側吸込口
１４  室外側吹出口
１５  バイパス通路
１６  バイパスダンパ
１７  ダクト接続筒
１８  湿度センサ
１９  制御装置
２０  外部コントローラ
２１  除塵用フィルター
２２  除塵用フィルター
２３  ドレン容器
２４  水検知センサ
２５  表示部
２６  排水パイプ
１００  熱交換換気装置
【図１】
2011220561.tif 000003
【図２】
2011220561.tif 000004
【図３】
2011220561.tif 000005
【図４】
2011220561.tif 000006
【図５】
2011220561.tif 000007
【図６】
2011220561.tif 000008
【図７】
2011220561.tif 000009
【図８】
2011220561.tif 000010
【図９】
2011220561.tif 000011
【図１０】
2011220561.tif 000012
【図１１】
2011220561.tif 000013
【図１２】
2011220561.tif 000014